(57)【特許請求の範囲】
【請求項１】
オープンショーケースの開口部に取り付けられ、当該開口を覆うナイトカバーにおいて、
前記ナイトカバーは、少なくとも一面が開放する収納具と、この収納具に設けられた巻取軸と、この巻取軸に巻き取られたカバー部材とから成り、このカバー部材の引き出し方向に位置する前記収納具の壁端部は、前記カバー部材の引き出し中は当該カバー部材から離間し、引き出し切った時点で前記カバー部材に接触する構成とされていることを特徴とするオープンショーケース用ナイトカバー。
【請求項２】
カバー部材の庫外側となる面には透湿層を形成したことを特徴とする請求項１のオープンショーケース用ナイトカバー。
【請求項３】
カバー部材の庫内側となる面には抗菌及び又は消臭及び又は防カビ効果を奏する層を形成したことを特徴とする請求項１又は請求項２のオープンショーケース用ナイトカバー。
【請求項４】
カバー部材の最も外側となる層に耐光性及び又は耐熱性を付与したことを特徴とする請求項１、請求項２又は請求項３のオープンショーケース用ナイトカバー。
【発明の詳細な説明】
【０００１】
【発明の属する技術分野】
本発明は、店舗の閉店時などにオープンショーケースの開口を覆うためのナイトカバーに関するものである。
【０００２】
【従来の技術】
従来よりスーパーマーケットなどに設置される食品陳列販売用のオープンショーケースにおいては、閉店時の開口からの冷気漏洩を防止して省エネルギー化を図るために、例えば特開平３−２１２２１４号公報（Ａ４７Ｆ３／０４）に示される如きナイトカバー（自動巻取式カバーと称している）が開口上部に取り付けられている。
【０００３】
このナイトカバーは通常自動巻取式のものであり、後述する収納具からカバー部材を巻き取った状態ではオープンショーケースの開口を開放すると共に、引き出した状態で開口を覆い、冷気漏洩を防止若しくは削減するものである。
【０００４】
次ぎに、図１０〜図１３を用いて係る従来のナイトカバー１０１について説明する。図１０、図１１のナイトカバー１０１は、所謂平型のオープンショーケース（図示せず）に取り付けられるナイトカバーであり、上方及び前方に開放した断面逆Ｌ字状の収納具１０２と、この収納具１０２の左右に設けられた保持壁１０３、１０３間に渡って取り付けられたトーションバーと称される巻取軸１０４と、この巻取軸１０４に巻き取られた樹脂或いは布製のシートから成るカバー部材１０６などから構成されている。
【０００５】
前記収納具１０２の下壁１０７は略水平とされ、後壁１０８はこの下壁１０７後端から垂直に起立すると共に、前壁１０９はこの下壁１０７前端から垂直に少許起立した形状とされている。
【０００６】
【発明が解決しようとする課題】
この場合、図１０と図１１ではカバー部材１０６の巻取方向が逆に設定されているが、何れの場合にもカバー部材１０６を引き出した状態で、庫内外が収納具１０２の前壁１０９とカバー部材１０６間の隙間Ｇにおいて連通してしまう。そのため、この部分から外気が図中矢印の如く庫外から庫内に侵入してしまう問題があった。
【０００７】
そこで、図１２に示す如く前壁１０９の高さ寸法を拡張し、カバー部材１０６に常時この前壁１０９が接触するように構成すれば係る隙間Ｇによる問題は生じなくなる。尚、図１３は縦型オープンショーケース用のナイトカバー１０１Ａを示している。この場合、収納具１０２の下壁１１１と後壁１１２とから断面略Ｌ字状に構成され、下壁１１２の前部は上方に湾曲されてその先端はカバー部材１０６に接触せられている。
【０００８】
しかしながら、係る構成による今度はカバー部材１０６の引き出し中或いは巻き取り中、前壁１０９或いは下壁１１２とカバー部材１０６との間に摩擦が発生し、抵抗となるため、ナイトカバーの開閉作業が極めて面倒となる問題が生じる。
【０００９】
本発明は、係る従来の技術的課題を解決するために成されたものであり、開閉作業性を悪化させること無く、外気の侵入を効果的に防止することができるオープンショーケース用ナイトカバーを提供するものである。
【００１０】
【課題を解決するための手段】
本発明のナイトカバーは、オープンショーケースの開口部に取り付けられ、当開口を覆うものであって、少なくとも一面が開放する収納具と、この収納具に設けられた巻取軸と、この巻取軸に巻き取られたカバー部材とから成り、このカバー部材の引き出し方向に位置する収納具の壁端部は、カバー部材の引き出し中は当該カバー部材から離間し、引き出し切った時点でカバー部材に接触する構成とされているものである。
【００１１】
本発明によれば、ナイトカバーのカバー部材の引き出し方向に位置する収納具の壁端部を、カバー部材の引き出し中は当該カバー部材から離間し、引き出し切った時点でカバー部材に接触する構成としたので、カバー部材の引き出し中或いは巻き取り中におけるカバー部材と収納具の壁との接触が無くなり、抵抗による操作性の悪化とカバー部材の損傷の発生を解消することが可能となる。
【００１２】
特に、カバー部材を引き出し切った時点ではカバー部材は収納具の引き出し方向の壁端部に接触するので、収納具内を通過する外気の侵入を阻止し、密閉性を向上させることが可能となり、オープンショーケースの冷却能力の向上と一層の省エネ化を実現することができる。
【００１３】
請求項２の発明のオープンショーケース用ナイトカバーは、上記においてカバー部材の庫外側となる面には透湿層を形成したものである。
【００１４】
請求項２の発明によれば、上記に加えてカバー部材の庫外側となる面には透湿層を形成したので、カバー部材への結露の発生を抑えることができるようになる。これにより、収納商品の劣化や周辺の汚損、衛生上の問題の発生などを効果的に抑制することができるようになるものである。
【００１５】
請求項３の発明のオープンショーケース用ナイトカバーは、上記においてカバー部材の庫内側となる面には抗菌及び又は消臭及び又は防カビ効果を奏する層を形成したものである。
【００１６】
請求項３の発明によれば、上記各発明に加えてカバー部材の庫内側となる面に抗菌及び又は消臭及び又は防カビ効果を奏する層を形成したので、収納商品に影響する雑菌や臭いの発生を防止し、衛生的に保つことが可能となるものである。
【００１７】
請求項４の発明のオープンショーケース用ナイトカバーは、上記各発明において、カバー部材の最も外側となる層に耐光性及び又は耐熱性を付与したものである。
【００１８】
請求項４の発明によれば、上記各発明に加えて、カバー部材の最も外側となる層に耐光性及び又は耐熱性を付与したので、蛍光灯からの光線や庫内外の温度差によるナイトカバーの変色を極力抑えることができるようになるものである。
【００１９】
【発明の実施の形態】
次に、図面に基づき本発明の実施形態を詳述する。図１は本発明を適用する実施例としての縦型オープンショーケース１の縦断側面図、図２は同じく実施例としての平型オープンショーケース１Ａの縦断側面図を示している。
【００２０】
図１のオープンショーケース１は、スーパーマーケットなどの店舗内に設置される冷凍・冷蔵タイプの縦型オープンショーケースであり、断面略コ字状の断熱壁２と、この断熱壁２の両側に取り付けられた図示しない側板とから構成されている。断熱壁２の内側にはそれぞれ間隔を存して仕切板４、５が取り付けられ、これら仕切板４及び５間を内層ダクト６、外側の仕切板５と断熱壁２間を外層ダクト７としている。
【００２１】
内側の仕切板４の下部には底板３が設けられており、これら仕切板４及び底板３の内側を庫内８としている。断熱壁２の前面開口９の上縁にはハニカム材１４、１５がそれぞれ取り付けられた内層吐出口１６及び外層吐出口１７が並設されており、これら内層吐出口１６及び外層吐出口１７は内層ダクト６及び外層ダクト７にそれぞれ連通している。そして、開口９の下縁には内層吸込口１８と外層吸込口１９が並設されており、両吸込口１８、１９は内層ダクト６及び外層ダクト７にそれぞれ連通している。
【００２２】
断熱壁２の前壁２Ｃ上端にはステンレス製のハンドレールＨが左右に渡って取り付けられている。このハンドレールＨの下面は顎状に形成されており、ここに後述するナイトカバー４０が係止されるかたちとなる。
【００２３】
一方、底板３下方には断熱壁２の底壁２Ａ上にファンケース１０が設置されており、このファンケース１０には図示しない送風機が内層用及び外層用に複数台取り付けられている。また、底板３下方の空間は区画部材１２によって二つのダクトに区画されており、前記内層吸込口１８は内層用の送風機を経て内層ダクト６に、前記外層吸込口１９は外層用の送風機を経て外層ダクト７に連通している。
【００２４】
更に、背面を構成する仕切板４後方の内層ダクト６内には、冷却装置の冷却器１３が縦設されており、前記内層用の送風機が運転されると冷却器１３と熱交換した冷気は内層ダクト６内を上昇して、内層吐出口１６より内層吸込口１８に向かって吐出される。そして、内層吸込口１８から吸い込まれた冷気は再び送風機によって加速され、内層ダクト６内に至る循環をする。
【００２５】
他方、前記外層用の送風機が運転されると、外層ダクト７内の空気は外層ダクト７内を上昇して、外層吐出口１７より外層吸込口１９に向かって吐出される。そして、外層吸込口１９から吸い込まれた空気は再び送風機によって加速され、外層ダクト７内に至る循環をする。これによって、開口９には前後二重のエアーカーテンが形成され、内側の冷気エアーカーテンの一部が庫内８に循環されて庫内８を冷却する。
【００２６】
また、庫内８には食品などの商品を陳列載置するための複数段の商品陳列棚３０・・・が架設されている。更に、断熱壁２の天壁２Ｂ前端にはキャノピーＣが庇状に突出して取り付けられ、左右に渡っている。そして、このキャノピーＣの内側に反射板Ｒが取り付けられている。
【００２７】
この反射板Ｒは、オープンショーケース１の開口上部に渡って設けられており、その内側前部には蛍光灯３１が取り付けられる。尚、蛍光灯３１はその他にも仕切板４の天部及び各商品陳列棚３０・・・の下面にも取り付けられている。そして、反射板Ｒの後面に本発明のナイトカバー４０が左右に並設して取り付けられ、前面開口９の上部に位置せしめられる。
【００２８】
一方、図２のオープンショーケース１Ａは、スーパーマーケットなどの店舗内に設置される冷凍・冷蔵タイプの平型オープンショーケースであり、上面に開口する断面略コ字状の断熱壁２Ｄと、この断熱壁２Ｄの両側に取り付けられた図示しない側板とから構成されている。断熱壁２Ｄの内側には間隔を存して仕切板４Ａが取り付けられ、これら仕切板４Ａと断熱壁２Ｄ間をダクト７Ａとしている。
【００２９】
また、仕切板４Ａの内側を庫内８Ａとしている。断熱壁２Ｄの上面開口９Ａの中央部には中央部ダクト５Ａが立設され、下端が前記ダクト７Ａに連通している。この中央部ダクト５Ａの上端には前後吐出口１６Ａ及び１７Ａが形成されており、これら吐出口１６Ａ及び吐出口１７Ａは中央部ダクト５Ａにそれぞれ連通している。そして、開口９Ａの前後縁には前後吸込口１８Ａと１９Ａが形成されており、両吸込口１８Ａ、１９Ａはダクト７Ａにそれぞれ連通している。
【００３０】
断熱壁２Ｄの前後壁２Ｆ、２Ｆ上端にはステンレス製のハンドレールＨが左右に渡って取り付けられている。このハンドレールＨの下面は顎状に形成されており、ここに後述するナイトカバー４０Ａが係止されるかたちとなる。尚、１４Ａ、１５Ａは前後壁２Ｆ、２Ｆの上面に立設されたガラス壁である。
【００３１】
一方、仕切板４Ａ下方には断熱壁２Ｄの底壁上中央には図示しない送風機を内蔵したファンケース１０Ａが設置され、その左右には冷却装置の冷却器１３Ａ、１３Ｂが設置されている。そして、前記送風機が運転されると冷却器１３Ａ、１３Ｂと熱交換した冷気はダクト５Ａ内を上昇して、吐出口１６Ａと１７Ａより前後に向かって吐出される。そして、各吸込口１８Ａ、１９Ａから吸い込まれた冷気は再びダクト７Ａ内に至る循環をする。
【００３２】
これによって、開口９Ａには冷気エアーカーテンが形成され、この冷気エアーカーテンの一部が庫内８Ａに循環されて庫内８Ａを冷却する。
【００３３】
また、中央部ダクト５Ａの上端には上板３１Ａが取り付けられており、この上板３１Ａ上に本発明のナイトカバー４０Ａ、４０Ａが前後に取り付けられ、上面開口９の中央部に位置せしめられる。
【００３４】
次ぎに、前記各ナイトカバー４０、４０Ａの構造を説明する。先ず、図１のオープンショーケース１に取り付けられるナイトカバー４０は、図３に示す如く上方及び前方に開放した断面略レ字状の収納具４１と、この収納具４１の左右に一体に設けられた保持壁４２、４２間に渡って収納具４１に取り付けられたトーションバーと称される巻取軸４３と、この巻取軸４３に自動巻取式に巻き取られた樹脂、或いは、布製のシートから成る基材５３（図５に示す）にて構成されたカバー部材４４などから構成されている。この場合、カバー部材４４は巻取軸４３の上方から引き出される方向に捲回されている。
【００３５】
一方、前記収納具４１の下壁５１は後部から略水平に前方に延在した後、その前部は延長され、且つ、巻き取られたカバー部材４４の外側に沿った所定曲率にて上方に湾曲されている。特に、この下壁５１の先端は前記巻取軸４３と図１のハンドレールＨを結ぶ線より少許前方に位置するように構成されている。尚、下壁５１は前述の如く滑らかに湾曲させずに段階的に上方に屈曲させた多角形状としても良い。更に、収納具４１の後壁５２はこの下壁５１後端から垂直に起立した後、その上端部５２Ａは前記反射板Ｒの形状に沿うかたちで前方に屈曲されている。
【００３６】
また、図２のオープンショーケース１Ａに取り付けられるナイトカバー４０Ａは、図４に示す如く上方及び後方に開放した断面略Ｌ字状の収納具４１Ａと、この収納具４１Ａの左右に一体に設けられた保持壁４２Ａ、４２Ａ間に渡って収納具４１Ａに取り付けられたトーションバーと称される巻取軸４３Ａと、この巻取軸４３Ａに自動巻取式に巻き取られた前述同様のカバー部材４４などから構成されている。この場合、カバー部材４４は巻取軸４３Ａの上方から引き出される方向に捲回されている。
【００３７】
一方、前記収納具４１Ａの下壁５１Ａの前端には前壁５２Ａが立設されており、特に、この前壁５２Ａの上端は前記巻取軸４３Ａと図２のガラス壁１４Ａ、１５Ａの上端を結ぶ線より少許上方に位置するように構成されている。
【００３８】
また、前記カバー部材４４の基材５３の一面には、図５に示す如く透湿膜５４（透湿層）がコーティングされており、この透湿膜５４が庫外側となるように各ナイトカバー４０、４０Ａは取り付けられている。
【００３９】
以上の構成で、店舗の閉店中はナイトカバー４０、４０Ａの先端を持ってカバー部材４４を引き出し、図１或いは図２のハンドレールＨに係止する。この場合、図２の平型オープンショーケース１Ａの場合にはガラス壁１４Ａ、１５Ａの上端を回して張架するかたちとなる。
【００４０】
この状態でカバー部材４４は前記エアーカーテンの外側において開口９、或いは、９Ａを覆うものであるが、図３のナイトカバー４０の場合、前述の如く収納具４１の下壁５１の前部は上方に湾曲されており、その先端は巻取軸４３とハンドレールＨを結ぶ線より少許前方に位置するように構成されているので、巻取軸４３から引き出している最中はカバー部材４４は下壁５１から離間している（図３左側）。そして、引き出し切った時点で図３の右に示す如くカバー部材４４は下壁５１の前端部に当接し、接触する。
【００４１】
また、図４の場合には前述の如く収納具４１Ａの前壁５２Ａの上端は、巻取軸４３Ａとガラス壁１４Ａ、１５Ａの上端を結ぶ線より少許上方に位置するように構成されているので、巻取軸４３Ａから引き出している最中はカバー部材４４Ａは前壁５２Ａから離間している（図４左側）。そして、引き出し切った時点で図４の右に示す如くカバー部材４４は前壁５２Ａの上端部に当接し、接触する。
尚、カバー部材４４を巻き取る際には上述と逆の操作が行われることになる。
【００４２】
このように、カバー部材４４の引き出し中、或いは、巻き取り中におけるカバー部材４４と収納具４１、４１Ａの壁５１或いは５２Ａとの接触が無くなり、抵抗による操作性の悪化とカバー部材４４の損傷の発生を解消することが可能となる。
【００４３】
また、引き出し切った時点でナイトカバー４０、４０Ａは収納具４１或いは４１Ａ内を通過する外気の侵入を阻止するので、庫内８、８Ａの庫外からの密閉性を向上させ、オープンショーケース１、１Ａの冷却能力の向上と一層の省エネ化を実現することができるようになる。
【００４４】
また、カバー部材４４の基材５３の一面には、透湿膜５４がコーティングされており、この透湿膜５４は庫外側に位置しているので、開口９、或いは、９Ａを覆った状態で、その庫外側の面に生じる結露は効果的に解消される。
【００４５】
尚、カバー部材４４の基材５３の他の面には図５に加えて、図６に示す如く抗菌・消臭・防カビ効果を有する皮膜（層）５６をコーティングしても良い。この皮膜５６はナイトカバー４０、４０Ａを取り付けた際、オープンショーケース１、１Ａの庫内側となる。
【００４６】
係る構成によれば、図５の構造に加えて、庫内８、８Ａに収納した商品に影響する雑菌や臭いの発生を防止し、衛生的に保つことが可能となる。
【００４７】
次ぎに、図７はナイトカバー４０、４０Ａのカバー部材４４の他の実施例を示している。この場合、カバー部材４４の基材５３の一面には既に塗装５７が施されており、更にその上には耐光性と耐熱性を備えた皮膜（層）５８がコーティングされている。
【００４８】
そして、図８（縦型オープンショーケース１の場合）、或いは、図９（平型オープンショーケース１Ａの場合）に示す如くこの皮膜５８が庫外側となるように各ナイトカバー４０、４０Ａは取り付けられる。
【００４９】
係る構成によれば、蛍光灯３１などからの光線（紫外線）や庫内外の温度差によるナイトカバー４０、４０Ａの塗装５７の変色を極力抑えることができるようになる。
【００５０】
【発明の効果】
以上詳述した如く本発明によれば、ナイトカバーのカバー部材の引き出し方向に位置する収納具の壁端部を、カバー部材の引き出し中は当該カバー部材から離間し、引き出し切った時点でカバー部材に接触する構成としたので、カバー部材の引き出し中或いは巻き取り中におけるカバー部材と収納具の壁との接触が無くなり、抵抗による操作性の悪化とカバー部材の損傷の発生を解消することが可能となる。
【００５１】
特に、カバー部材を引き出し切った時点ではカバー部材は収納具の引き出し方向の壁端部に接触するので、収納具内を通過する外気の侵入を阻止し、密閉性を向上させることが可能となり、オープンショーケースの冷却能力の向上と一層の省エネ化を実現することができる。
【００５２】
請求項２の発明によれば、上記に加えてカバー部材の庫外側となる面には透湿層を形成したので、カバー部材への結露の発生を抑えることができるようになる。これにより、収納商品の劣化や周辺の汚損、衛生上の問題の発生などを効果的に抑制することができるようになるものである。
【００５３】
請求項３の発明によれば、上記各発明に加えてカバー部材の庫内側となる面に抗菌及び又は消臭及び又は防カビ効果を奏する層を形成したので、収納商品に影響する雑菌や臭いの発生を防止し、衛生的に保つことが可能となるものである。
【００５４】
請求項４の発明によれば、上記各発明に加えて、カバー部材の最も外側となる層に耐光性及び又は耐熱性を付与したので、蛍光灯からの光線や庫内外の温度差によるナイトカバーの変色を極力抑えることができるようになるものである。
【図面の簡単な説明】
【図１】本発明を適用する縦型オープンショーケースの縦断側面図である。
【図２】本発明を適用する平型オープンショーケースの縦断側面図である。
【図３】本発明のナイトカバーの縦断側面図である。
【図４】もう一つの本発明のナイトカバーの縦断側面図である。
【図５】本発明のナイトカバーのカバー部材の断面図である。
【図６】本発明のナイトカバーのカバー部材の他の実施例を示す断面図である。
【図７】本発明のナイトカバーのカバー部材のもう一つの他の実施例を示す断面図である。
【図８】縦型オープンショーケース用の図７のナイトカバーの縦断側面図である。
【図９】平型オープンショーケース用の図７のナイトカバーの縦断側面図である。
【図１０】平型オープンショーケース用の従来のナイトカバーの縦断側面図である。
【図１１】平型オープンショーケース用の従来のナイトカバーのもう一つの縦断側面図である。
【図１２】平型オープンショーケース用の従来のナイトカバーの更にもう一つの縦断側面図である。
【図１３】縦型オープンショーケース用の従来のナイトカバーのもう一つの縦断側面図である。
【符号の説明】
１、１Ａ  オープンショーケース
９、９Ａ  開口
４０、４０Ａ  ナイトカバー
４１、４１Ａ  収納具
４３、４３Ａ  巻取軸
４４  カバー部材
５１  下壁
５２Ａ  前壁
５３  基材
５４  透湿膜
５６、５８  皮膜
【図１】
0003789617.tif 000002
【図２】
0003789617.tif 000003
【図３】
0003789617.tif 000004
【図４】
0003789617.tif 000005
【図５】
0003789617.tif 000006
【図６】
0003789617.tif 000007
【図７】
0003789617.tif 000008
【図８】
0003789617.tif 000009
【図９】
0003789617.tif 000010
【図１０】
0003789617.tif 000011
【図１１】
0003789617.tif 000012
【図１２】
0003789617.tif 000013
【図１３】
0003789617.tif 000014